(57)【要約】【課題】球案内レールの周辺を明るくすると共に遊技盤全体の電飾効果を高めることが可能なパチンコ機を提供すること。【解決手段】遊技盤１の前面１ａに外レール２と内レール５とからなる球案内レールをほぼ円形状に設けて、打ち込まれる遊技球が転動する遊技領域ｒを区画形成したパチンコ機において、外レール２の所定位置に開口部４（４ａ）を形成すると共に、その開口部４に臨むように発光装置１０の発光部２０を配置し、その発光部２０から発せられる光を遊技領域ｒに向けて照射するように構成した。【選択図】　図２
2004008598.tif 000002
【特許請求の範囲】
【請求項１】
遊技盤の前面に外レールと内レールとからなる球案内レールをほぼ円形状に設けて、打ち込まれる遊技球が転動する遊技領域を区画形成したパチンコ機において、
前記球案内レールの所定位置に開口部を形成すると共に、その開口部に臨むように発光装置の発光部を配置し、その発光部から発せられる光を前記遊技領域に向けて照射するように構成したとを特徴とするパチンコ機。
【請求項２】
前記開口部が、当該球案内レールの遊技盤に当接する側の端縁に形成されていることを特徴とする請求項１に記載のパチンコ機。
【請求項３】
遊技盤の前面に外レールと内レールとからなる球案内レールをほぼ円形状に設けて、打ち込まれる遊技球が転動する遊技領域を区画形成したパチンコ機において、
前記球案内レールを透光性を有する合成樹脂材料により形成すると共に、そのレールの外面に対向させて発光装置の発光部を配置したことを特徴とするパチンコ機。
【請求項４】
前記球案内レールは金属板にて設けられ、前記開口部については打ち抜き加工により形成されていることを特徴とする請求項１又は２に記載したパチンコ機。
【請求項５】
前記球案内レールは金属板にて設けられ、前記開口部については、切り込み部分から切り離される小片を当該レールの外面側に折曲加工して形成されていることを特徴とする請求項２に記載したパチンコ機。
【請求項６】
前記球案内レールは合成樹脂材料にて設けられ、前記開口部については一体に形成されていることを特徴とする請求項１又は２に記載したパチンコ機。
【発明の詳細な説明】
【０００１】
【発明の属する技術分野】
本発明は、球案内レールの周辺を明るくするようにしたパチンコ機に関する。
【０００２】
【従来の技術】
パチンコ機においては、遊技盤の前面にほぼ円形状に配置された球案内レールたる外レールと内レールとにより囲まれる遊技領域を設け、遊技者の発射ハンドル操作により発射される遊技球を外レールにより誘導して遊技領域に打ち込み、その遊技球が誘導釘や風車等によって方向を変えられたりしつつ転動する間に、入賞口への入賞を果たすか、入賞しなければ内レール上に落下してアウト口から遊技盤の後方に導かれるように構成されている。特に外レールの周辺は、遊技球がもっとも頻繁に通過する経路であることから、遊技球の通過に支障のない箇所に、その周辺を明るくするための発光装置を設置することは困難であった。
【０００３】
【発明が解決しようとする課題】
従来のパチンコ機では球案内レールの周辺の電飾をすることが難しかったために、レールの周辺は少し暗くなってしまい、遊技盤全体の電飾効果を一様に高めるには至らなかった。
【０００４】
この発明の目的は、球案内レールの周辺を明るくすると共に遊技盤全体の電飾効果を高めることが可能なパチンコ機を提供することにある。
【０００５】
【課題を解決するための手段】
前記目的を達成するために請求項１に記載した発明は、遊技盤の前面に外レールと内レールとからなる球案内レールをほぼ円形状に設けて、打ち込まれる遊技球が転動する遊技領域を区画形成したパチンコ機において、前記球案内レールの適宜位置に開口部を形成すると共に、その開口部に臨むように発光装置の発光部を配置し、その発光部から発せられる光を前記遊技領域に向けて照射するように構成したとを特徴とする。
【０００６】
同様の目的を達成するために請求項２に記載した発明は、請求項１に記載のパチンコ機において、前記開口部が、当該球案内レールの遊技盤に当接する側の端縁に形成されていることを特徴とする。
【０００７】
同様の目的を達成するために請求項３に記載した発明は、遊技盤の前面に外レールと内レールとからなる球案内レールをほぼ円形状に設けて、打ち込まれる遊技球が転動する遊技領域を区画形成したパチンコ機において、前記球案内レールを透光性を有する合成樹脂材料により形成すると共に、そのレールの外面に対向させて発光装置の発光部を配置したことを特徴とする。
【０００８】
同様の目的を達成するために請求項４に記載した発明は、請求項１又は２に記載したパチンコ機において、前記球案内レールは金属板にて設けられ、前記開口部については打ち抜き加工により形成されていることを特徴とする。
【０００９】
同様の目的を達成するために請求項５に記載した発明は、請求項２に記載したパチンコ機において、前記球案内レールは金属板にて設けられ、前記開口部については、切り込み部分から切り離される小片を当該レールの外面側に折曲加工して形成されていることを特徴とする。
【００１０】
同様の目的を達成するために請求項６に記載した発明は、請求項１又は２に記載したパチンコ機において、前記球案内レールは合成樹脂材料にて設けられ、前記開口部については一体に形成されていることを特徴とするものである。
【００１１】
【発明の作用及び効果】
（請求項１及び２の発明）
発光装置の発光部から発せられる光は、球案内レールの開口部を通って遊技領域に向けて照射される。これにより、球案内レールの周辺を明るく見せることができる。
【００１２】
（請求項３の発明）
発光装置の発光部から発せられる光は、透光性を有する合成樹脂製の球案内レールを介して遊技領域に向けて照射される。これにより、球案内レールの周辺を明るく見せることができる。
【００１３】
（請求項４及び５の発明）
発光装置の発光部から発せられる光は、金属製球案内レールの開口部を通って遊技領域に向けて照射される。しかして、その照射された光の一部は球案内レールの内面にて反射するので、レールの周辺を一層明るくすることができる。
【００１４】
（請求項６の発明）
発光装置の発光部から発せられる光は、球案内レールの開口部を通って遊技領域に向けて照射される。これにより、球案内レールの周辺を明るく見せることができる。また、開口部はレールの成形と同時に形成されるので、量産に適する。
【００１５】
このパチンコ機は、今まで電飾を施すことが困難とされていた球案内レールの周辺を明るく見せることが可能となり、遊技盤全体を一様に明るくすることができるので、遊技盤全体の美観の向上にも寄与する。
【００１６】
【発明の実施の形態】
以下に、本発明の実施の形態例を図面に基づいて説明する。図１は球案内レールと発光装置を取り付けた遊技盤の正面図、図２は発光装置と遊技盤を分離した状態で示す斜視図、図３は外レールに形成された開口部４の説明図、図４は外レールに穿設された他の実施例の開口部たる小穴４ａの説明図、図５は発光装置の斜視図、図６は発光装置の背面図、図７は図１のＡ−Ａ線断面図である。
【００１７】
図１及び図２において、１はパチンコ機の遊技盤である。この遊技盤１の表面（正面側）１ａには、球案内レールたる外レール２と内レール５とをほぼ円形状に配置して鋲（図示せず）により固定を施し、遊技者により打ち込まれる遊技球が転動する遊技領域ｒが区画形成されている。
【００１８】
外レール２は、一定幅寸法のステンレス材料等の金属板にて設けられている。図３に示すように、この外レール２には、遊技盤１に当接する側で天部中央位置の端縁３をプレスにて打ち抜き加工を行うことより、細長い矩形状の開口部４が形成されている。その開口部４の幅寸法については、遊技球の直径（約１１ｍｍ）の１／２以下とし、打ち込まれる遊技球の通過に支障のないように設けるものとする。
【００１９】
なお、上記開口部４については、幅方向の切り込み部分から切り離される小片（図示せず）を外レール２の外面側２ａに折曲加工することにより設けることもできる。上記開口部４を形成する場合には、打ち抜いたクズの後処理を要するところ、小片を折曲加工する構成の場合にはクズを生じないので、後処理が不要となる。
【００２０】
また、上記開口部４については、図４に示すように、外レール２の端縁３側に多数の小穴４ａを適宜間隔にて穿設する構成とすることもできる。
【００２１】
１０は発光部２０を外レール２の開口部４に臨むように配置されて遊技盤１に固定された発光装置である。この発光装置１０の本体１１は、図５、図６に示すように、遊技盤１に固定するための平らな取付部１２から内部が空洞とされた覆部１３を一体形成すると共に、一方の側面１０ａを外レール２に密着して沿うように円弧形に設けている。その覆部１３の内方には、後記光源回路基板２１を湾曲させて挿入するためのスリット１４，１４と、光源回路基板２１の湾曲姿勢を保持するための支持壁部１５を設けると共に、中央とその両側部にボス１６，１７，１７が一体に形成されている。１８は本体１１の取付部１２に設けた取付孔、１９は一方の側面１０ａに形成された窓部である。
【００２２】
光源回路基板２１については、本件出願人にかかる特開２００１−２５９１２５号公報の中で開示されている光源回路基板と同様の構造とする。すなわち、その光源回路基板２１は、薄くて可撓性を有する基板２２の表面にプリント配線が施されると共に、多数の発光素子２３を適宜配置してその上から透光性樹脂によりモールド成形が施され、それら発光素子２３に直流電力を供給するための図示しない端子部を設けている。この光源回路基板２１は、上記スリット１４に挿入されて装着されている。
【００２３】
２５は一定幅寸法の円弧形のレンズ部２６と当該レンズ部２６の端縁から直角状に突出する固定部２７とが一体に形成されたレンズ片である。このレンズ片２５は、図６に示すように、上記本体１１の窓部１９にレンズ部２６を嵌めると共に、固定部２７の中央部に設けられたダボ２８を上記ボス１６のダボ孔（図示せず）に嵌合させて位置決めを施し、その固定部２７を上記ボス１７，１７にビス２９で締め付けて固定されている。このレンズ片２５と発光素子２３により発光装置１０の発光部２０を構成する。
【００２４】
かかる構成になるパチンコ機によれば、図７に示すように、発光装置１０の発光部２０から発せられる光が、外レール２の開口部４を通って遊技領域ｒに向けて照射される。しかして、その照射された光の一部が外レール２や内レール５の内面にて反射することもあって、それらレール２，５の周辺を一層明るくすることができる。
【００２５】
なお、この実施の形態例では球案内レールを金属板としているが、これを合成樹脂材料にて成形したものとすることも可能である。その合成樹脂材料については、透光性を有するものや、蛍光性を有するものとすれば、金属製とは異なるイメージの意匠を付与することもできる。
【００２６】
また、この実施の形態例においては、発光装置１０を外レール２に対して配設しているが、これを内レール５の適宜位置に設けることも可能である。
【００２７】
上述したとおり、このパチンコ機は、今まで電飾を施すことが困難とされていた球案内レールの周辺を明るく見せることができるので、遊技盤全体が華やかになって美観が向上するという利点を有する。
【図面の簡単な説明】
【図１】球案内レールと発光装置を取り付けた遊技盤の正面図
【図２】発光装置と遊技盤を分離した状態で示す斜視図
【図３】外レールに形成された開口部４の説明図
【図４】外レールに穿設された他の実施例の開口部たる小穴４ａの説明図
【図５】発光装置の斜視図
【図６】発光装置の背面図
【図７】図１のＡ−Ａ線断面図
【符号の説明】
１・・・遊技盤
２・・・外レール（球案内レール）
３・・・端縁
４・・・開口部　４ａ・・・小穴（開口部）
５・・・内レール（球案内レール）
ｒ・・・遊技領域
１０・・・発光装置
１１・・・本体　１３・・・覆部
２０・・・発光部
２１・・・光源回路基板　２３・・・発光素子
２５・・・レンズ片　２６・・・レンズ部
【図１】
2004008598.tif 000003
【図２】
2004008598.tif 000004
【図３】
2004008598.tif 000005
【図４】
2004008598.tif 000006
【図５】
2004008598.tif 000007
【図６】
2004008598.tif 000008
【図７】
2004008598.tif 000009